(57)【要約】【課題】プラズマディスプレイパネルを提供する。【解決手段】互いに離隔されて配置される前面基板１２０及び背面基板１１０と、前面基板１２０と背面基板１１０との間に配置されて放電セルを区画する隔壁と、前面基板１２０と背面基板１１０との間に互いに離隔されて配置されて放電を起こす放電電極と、放電セル内に形成される蛍光体層と、を備え、一つの放電セルに二つ以上の放電空間が形成されるプラズマディスプレイパネルである。これにより、一つの放電セル内に二つ以上の発光領域を形成させて、放電空間内の放電均一度を向上させることによって輝度を向上させ得る。【選択図】図２
2006324234.tif 000002
【特許請求の範囲】
【請求項１】
互いに離隔されて配置される前面基板及び背面基板と、
前記前面基板と前記背面基板との間に配置されて放電セルを区画する隔壁と、
前記前面基板と前記背面基板との間に互いに離隔されて配置されて放電を起こす放電電極と、
前記放電セル内に形成される蛍光体層と、を備え、
前記放電セルに２つ以上の放電空間が形成されるプラズマディスプレイパネル。
【請求項２】
前記放電電極は、前記前面基板から前記背面基板の方向に互いに離隔され、一方向に延びて平行に形成される前方放電電極及び後方放電電極を備えてなることを特徴とする請求項１に記載のプラズマディスプレイパネル。
【請求項３】
前記放電電極は、前記前方放電電極及び後方放電電極と交差されるように延びて形成されるアドレス電極をさらに備えてなることを特徴とする請求項２に記載のプラズマディスプレイパネル。
【請求項４】
前記前方放電電極及び後方放電電極は、前記隔壁の内部に形成されることを特徴とする請求項２に記載のプラズマディスプレイパネル。
【請求項５】
前記隔壁は、誘電体で形成されることを特徴とする請求項１に記載のプラズマディスプレイパネル。
【請求項６】
前記隔壁は、
前記前面基板から前記背面基板の方向に形成される前方隔壁と、
前記背面基板から前記前面基板の方向に形成される後方隔壁と、を備えることを特徴とする請求項１に記載のプラズマディスプレイパネル。
【請求項７】
前記放電電極は、前記前面基板から前記背面基板の方向に互いに離隔され、一方向に延びて平行に形成される前方放電電極及び後方放電電極を備えてなることを特徴とする請求項６に記載のプラズマディスプレイパネル。
【請求項８】
前記前方放電電極及び後方放電電極は、前記前方隔壁の内部に形成されることを特徴とする請求項７に記載のプラズマディスプレイパネル。
【請求項９】
前記前方隔壁の前記放電セルの内部に向う面にＭｇＯ保護膜が形成されることを特徴とする請求項８に記載のプラズマディスプレイパネル。
【請求項１０】
前記前方隔壁は、
前記前方放電電極及び後方放電電極の方向に形成される横前方隔壁と、
前記横前方隔壁と交差されるように形成される縦前方隔壁と、を備えることを特徴とする請求項８に記載のプラズマディスプレイパネル。
【請求項１１】
前記後方隔壁は、
前記横前方隔壁と平行に形成される横後方隔壁と、
前記縦前方隔壁と平行に形成される縦後方隔壁と、を備えることを特徴とする請求項１０に記載のプラズマディスプレイパネル。
【請求項１２】
前記横前方隔壁は、前記横後方隔壁と対応する位置に形成され、
前記前方隔壁は、前記横前方隔壁の間に位置する分離横前方隔壁をさらに備えることを特徴とする請求項１０に記載のプラズマディスプレイパネル。
【請求項１３】
前記横前方隔壁の内部には、隣接するそれぞれの放電セルで放電を起こす一対ずつの前方放電電極及び後方放電電極が配置されることを特徴とする請求項１２に記載のプラズマディスプレイパネル。
【請求項１４】
前記分離横前方隔壁の内部には、それぞれ一つの前方放電電極及び後方放電電極が配置されることを特徴とする請求項１３に記載のプラズマディスプレイパネル。
【請求項１５】
前記分離横前方隔壁の内部には、それぞれ一対ずつの前方放電電極及び後方放電電極が配置されることを特徴とする請求項１３に記載のプラズマディスプレイパネル。
【請求項１６】
前記分離横前方隔壁は、一つの放電セルに二つ以上配置されることを特徴とする請求項１２に記載のプラズマディスプレイパネル。
【請求項１７】
前記放電電極は、前記前方放電電極及び後方放電電極と交差されるように延びて形成されるアドレス電極をさらに備えてなることを特徴とする請求項７に記載のプラズマディスプレイパネル。
【請求項１８】
前記アドレス電極は、前記背面基板上に形成されることを特徴とする請求項１７に記載のプラズマディスプレイパネル。
【請求項１９】
前記アドレス電極を覆うように前記背面基板上に形成される誘電体層をさらに備えることを特徴とする請求項１８に記載のプラズマディスプレイパネル。
【請求項２０】
前記蛍光体層は、少なくとも前記後方隔壁の側面に形成されることを特徴とする請求項６に記載のプラズマディスプレイパネル。
【請求項２１】
前記放電セル内には、放電ガスが充填されることを特徴とする請求項１に記載のプラズマディスプレイパネル。
【請求項２２】
互いに離隔されて配置される前面基板及び背面基板と、
前記前面基板と前記背面基板との間に配置されて放電セルを区画するものであって、一方向に形成される横隔壁及び前記横隔壁に対して交差する方向に形成される縦隔壁を備える隔壁と、
前記前面基板と前記背面基板との間に前記前面基板から前記背面基板の方向に互いに離隔されて配置されて放電を起こすものであって、前記横隔壁の内部に沿って延びて平行に形成される前方放電電極及び後方放電電極を備える維持電極対と、
前記放電セルの内部に形成される蛍光体層と、を備え、
ディスプレイ単位としての前記放電セルに二つ以上の放電空間が形成されることを特徴とするプラズマディスプレイパネル。
【請求項２３】
前記隔壁は、隣接する前記横隔壁の間に形成されるものであって、その内部に前記維持電極対が形成される分離横隔壁をさらに備えることを特徴とする請求項２２に記載のプラズマディスプレイパネル。
【請求項２４】
一対の隣接する前記横隔壁の間に二つ以上の分離横隔壁が形成されることを特徴とする請求項２３に記載のプラズマディスプレイパネル。
【請求項２５】
前記分離横隔壁の内部には、それぞれ一対の前記維持電極対が配置されることを特徴とする請求項２３に記載のプラズマディスプレイパネル。
【請求項２６】
前記分離横隔壁の内部には、それぞれ二対の前記維持電極対が配置されることを特徴とする請求項２３に記載のプラズマディスプレイパネル。
【請求項２７】
前記隔壁は、誘電体で形成されることを特徴とする請求項２２に記載のプラズマディスプレイパネル。
【請求項２８】
前記前方放電電極及び後方放電電極と交差するように延びて形成されるアドレス電極をさらに備えることを特徴とする請求項２２に記載のプラズマディスプレイパネル。
【請求項２９】
前記アドレス電極は、前記背面基板上に形成され、前記アドレス電極を覆うように前記背面基板上に形成される誘電体層をさらに備えることを特徴とする請求項２８に記載のプラズマディスプレイパネル。
【請求項３０】
前記蛍光体層は、少なくとも前記隔壁の側面に形成されることを特徴とする請求項２２に記載のプラズマディスプレイパネル。
【請求項３１】
前記放電セル内には、放電ガスが充填されることを特徴とする請求項２２に記載のプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｅｌ：ＰＤＰ）に係り、より詳細には、開口率を高めることによって発光効率を向上させ、放電空間内の放電均一度を向上させることによって、輝度を向上させ得る新たな構造のＰＤＰに関する。
【背景技術】
【０００２】
平板ディスプレイ装置であって、大型パネルの製作の容易なＰＤＰが注目されている。このようなＰＤＰは、二つの基板の間に形成される内部空間に放電ガスが封入され、二つの基板の間に形成される複数の電極に電圧が印加されて放電が発生し、これによって発生する紫外線により所定のパターンで形成された蛍光体が励起されて、所望の画像が表示される装置である。
【０００３】
図１は、通常の３電極面放電型ＰＤＰの分離斜視図である。
【０００４】
図１に示すように、通常のＰＤＰ１は、相互対向する背面基板１０及び前面基板２０を備える。背面基板１０の前面には複数のアドレス電極１１が配列され、アドレス電極１１は、第１誘電体層１２により埋め込まれる。また、第１誘電体層１２の前面には、隔壁１３がマトリックス状の放電セル１４を区画する。隔壁１３により区画された放電セル１４内には、蛍光体層１５が所定の厚さに塗布される。
【０００５】
前面基板２０は、可視光が透過され得る透明基板であって、主にガラスから形成され、隔壁１３が設けられた背面基板１０と結合される。前面基板２０の背面には、アドレス電極１１と交差する維持電極対３０が形成される。維持電極対３０のうち一つの維持電極は、Ｘ電極２１となり、他の一つの維持電極は、Ｙ電極２２となる。維持電極対３０は、透明な第２誘電体層２３により埋め込まれており、第２誘電体層２３の背面には、保護層２４が形成されている。
【０００６】
ＰＤＰは、複数のディスプレイピクセルを備え、一つのディスプレイピクセルは、蛍光体層１５を形成する蛍光体によって三つ（赤色、緑色、青色）の放電セルから構成され、放電セルの放電状態を調節することによって画像の階調を表現する。
【０００７】
一方、前記のような従来の３電極面放電型ＰＤＰ１では、蛍光体層１５から発散された可視光線が、前面基板２０の下面に配置された維持電極２１，２２、維持電極２１，２２を覆う第２誘電体層２３、及び保護層２４によって相当部分（約４０％）吸収されるため、発光効率が低いという問題点がある。
【０００８】
また、前記のような従来の３電極面放電型ＰＤＰ１が長時間同じ画像を表示している場合には、蛍光体層１５が放電ガスの荷電粒子によりイオンスパッタリングされることによって、永久残像を発生させるという問題点がある。
【発明の開示】
【発明が解決しようとする課題】
【０００９】
本発明は、前記問題点を解決するためになされたものであって、一つの放電セル内に２つ以上の発光領域を形成させて、放電空間内の放電均一度を向上させることによって輝度を向上させ得る新たな構造のＰＤＰを提供することを目的とする。
【課題を解決するための手段】
【００１０】
本発明は、互いに離隔されて配置される前面基板及び背面基板と、前記前面基板と前記背面基板との間に配置されて放電セルを区画する隔壁と、前記前面基板と前記背面基板との間に互いに離隔されて配置されて放電を起こす放電電極と、前記放電セル内に形成される蛍光体層と、を備え、前記放電セルに２つ以上の放電空間が形成されるＰＤＰを提供する。
【００１１】
前記隔壁は、前記前面基板から前記背面基板の方向に形成される前方隔壁と、前記背面基板から前記前面基板の方向に形成される後方隔壁と、を備えることが望ましい。
【００１２】
前記前方隔壁は、前記前方放電電極及び後方放電電極の方向に形成される横前方隔壁と、前記横前方隔壁と交差されるように形成される縦前方隔壁と、を備えることが望ましい。
【００１３】
前記後方隔壁は、前記横前方隔壁と平行に形成される横後方隔壁と、前記縦前方隔壁と平行に形成される縦後方隔壁と、を備えることが望ましい。
【００１４】
前記横前方隔壁は、前記横後方隔壁と対応する位置に形成され、前記前方隔壁は、前記横前方隔壁の間に位置する分離横前方隔壁をさらに備えることが望ましい。
【００１５】
前記横前方隔壁の内部に隣接するそれぞれの放電セルで放電を起こす一対ずつの前方放電電極及び後方放電電極が配置されることが望ましい。
【００１６】
前記分離横前方隔壁は、一つの放電セルに二つ以上配置されることが望ましい。
【００１７】
本発明の他の側面は、互いに離隔されて配置される前面基板及び背面基板と、前記前面基板と前記背面基板との間に配置されて放電セルを区画するものであって、一方向に形成される横隔壁及び、前記横隔壁に対して交差する方向に形成される縦隔壁を備える隔壁と、前記前面基板と前記背面基板との間に前記前面基板から前記背面基板の方向に互いに離隔されて配置されて放電を起こすものであって、前記横隔壁の内部に沿って延びて平行に形成される前方放電電極及び後方放電電極を備える維持電極対と、前記放電セルの内部に形成される蛍光体層と、を備え、ディスプレイ単位としての前記放電セルに２つ以上の放電空間が形成されるＰＤＰを提供する。
【００１８】
前記隔壁は、隣接する前記横隔壁の間に形成されるものであって、その内部に前記維持電極対が形成される分離横隔壁をさらに備えることが望ましい。
【００１９】
一対の隣接する前記横隔壁の間に２つ以上の分離横隔壁が形成されることが望ましい。
【００２０】
前記分離横隔壁の内部には、それぞれ一対の前記維持電極対が配置されることが望ましい。
【発明の効果】
【００２１】
本発明に係るＰＤＰによれば、電極は、可視光線が透過する前面基板に配置されておらず、放電セルの側面に配置されているので、パネルの開口率を高めることによって発光効率を向上させ得る。
【００２２】
また、電極は、可視光線が透過する前面基板に配置されておらず、放電セルの側面に配置されているので、電極として抵抗の大きな透明電極を使用する必要がなく、抵抗の低い金属電極などを電極として使用できるため、放電応答速度が速くなり、波形の歪曲なしに低電圧駆動が可能となる。
【００２３】
また、放電セルの側面に形成された前方放電電極及び後方放電電極に印加された電圧による電界が、プラズマを放電セルの中央部に集中させるので、放電が長時間起こっても、放電により生成されたイオンが電界により蛍光体と衝突することを防止することによって、イオンスパッタリングによる蛍光体の損傷に起因して発生する永久残像の問題点を防止できる。
【００２４】
また、一つの放電セル内に２つ以上の発光領域を形成させて、放電空間内の放電均一度を向上させることによって輝度を向上させ得る。
【発明を実施するための最良の形態】
【００２５】
以下、添付された図面を参照して、望ましい実施形態に係る本発明を詳細に説明する。
【００２６】
図２は、本発明に係る望ましい一実施形態として、新構造のＰＤＰを概略的に図示した分離斜視図である。図３は、図２のＰＤＰの断面ＩＩＩ−ＩＩＩを概略的に示す断面図である。図４は、図２のＰＤＰの断面ＩＶ−ＩＶを概略的に示す断面図である。
【００２７】
図２に示すように、ＰＤＰ１００は、前面基板１２０、背面基板１１０、隔壁１２４，１２８、放電電極１１３，１１４，１１８及び蛍光体層１１６Ｒ，１１６Ｇ，１１６Ｂを備える。
【００２８】
前面基板１２０及び背面基板１１０は、所定間隔互いに離隔されて配置される。隔壁１２４，１２８は、前面基板１２０と背面基板１１０との間に配置されて放電セル１３０Ｒ，１３０Ｇ，１３０Ｂを区画するものであって、誘電体で形成される。
【００２９】
放電電極１１３，１１４，１１８は、前面基板１２０と背面基板１１０との間に互いに離隔されて配置され、それぞれの放電セル１３０Ｒ，１３０Ｇ，１３０Ｂに形成される放電空間で放電を起こすように、電圧が印加される。蛍光体層１１６Ｒ，１１６Ｇ，１１６Ｂは、それぞれの放電セル１３０Ｒ，１３０Ｇ，１３０Ｂ内に形成される。放電セル１３０Ｒ，１３０Ｇ，１３０Ｂの内部には放電ガスが充填される。
【００３０】
特に、本発明に係るＰＤＰでは、放電セル１３０Ｒ，１３０Ｇ，１３０Ｂには２つ以上の放電空間が形成される。
【００３１】
隔壁１２４，１２８は、前面基板１２０から背面基板１１０の方向に形成される前方隔壁１２８と、背面基板１１０から前面基板１２０の方向に形成される後方隔壁１２４とを備える。前方隔壁１２８の放電セルの内部に向う面にＭｇＯ保護膜（ＭｇＯ  ｐｒｏｔｅｃｔｉｖｅ  ｌａｙｅｒ）が形成される。
【００３２】
前記放電電極は、前面基板１２０から背面基板１１０の方向に互いに離隔されて、一方向に延びて平行に形成される前方放電電極１１３及び後方放電電極１１４を備える。前方放電電極１１３及び後方放電電極１１４は、前記隔壁の内部、本実施形態の場合、特に、前方隔壁１２８の内部に形成されることが望ましい。
【００３３】
また、アドレス電極１１８は、前方放電電極１１３及び後方放電電極１１４と交差されるように延びて形成されることが望ましい。アドレス電極１１８は背面基板１１０上に形成され、背面基板上にアドレス電極１１８を覆うように誘電体層１１２が形成される。
【００３４】
前方隔壁１２８は、図面上のＸ方向の横前方隔壁１２８ａと、図面上のＹ方向の縦前方隔壁１２８ｂを備え、前方放電電極１１３及び後方放電電極１１４は、横前方隔壁１２８ａの内部に沿ってＸ方向に延びるように形成されることが望ましい。
【００３５】
後方隔壁１２４は、横前方隔壁１２８ａと平行な方向に形成される横後方隔壁１２４ａと、縦前方隔壁１２８ｂと平行な方向に形成される縦後方隔壁１２４ｂとを備える。このとき、横前方隔壁１２８ａは、横後方隔壁１２４ａに対応する位置に配置され、縦前方隔壁１２８ｂは、縦後方隔壁１２４ｂに対応する位置に配置され、それぞれの放電セル１３０Ｒ，１３０Ｇ，１３０Ｂを形成する。
【００３６】
ＰＤＰ１は、複数のディスプレイピクセルを備え、一つのディスプレイピクセルは、蛍光体層１１６Ｒ，１１６Ｇ，１１６Ｂを形成する蛍光体によって三つの赤色、緑色、青色の放電セル１３０Ｒ，１３０Ｇ，１３０Ｂから構成され、前記放電セルの放電状態を調節することによって画像の階調を表現する。
【００３７】
また、それぞれの放電セル１３０Ｒ，１３０Ｇ，１３０Ｂを区画する横前方隔壁１２８ａの間には、分離横前方隔壁１２９がさらに備えられ、それぞれの放電セル１３０Ｒ，１３０Ｇ，１３０Ｂに２つ以上の放電空間を形成させる。すなわち、分離横前方隔壁１２９が横後方隔壁１２４ａ及び横前方隔壁１２８ａによって区画される領域で、横前方隔壁１２８ａの間に形成される。
【００３８】
このとき、実施形態によっては、分離横前方隔壁１２９が横前方隔壁１２８ａの間に２つ以上配置され得る。また、分離横前方隔壁１２９の幅は、放電セルの内部の放電空間を広く確保できるように、可能な限り狭く形成されることが望ましい。
【００３９】
横前方隔壁１２８ａの内部には、隣接するそれぞれの放電セルで放電を起こす一対ずつの前方放電電極１１３及び後方放電電極１１４が配置され得る。また、分離横前方隔壁１２９の内部にも、それぞれ図示されているように、一対ずつの前方放電電極１１３及び後方放電電極１１４が配置され得る。
【００４０】
図３に示す実施形態を見ると、一つの赤色放電セルは、分離横前方隔壁１２９によって分離される二つの放電空間１３１Ｒ，１３２Ｒからなり、同一に表示されることが望ましい。同様に、一つの緑色放電セルは、分離横前方隔壁１２９によって分離される二つの放電空間１３１Ｇ，１３２Ｇからなり、一つの青色放電セルは、分離横前方隔壁１２９によって分離される二つの放電空間１３１Ｂ，１３２Ｂからなる。
【００４１】
これにより、放電セルの内部の全空間において、均一に放電が起こり、それによって、輝度及び発光効率が向上し得る。特に、放電セルの内部の形状が一方向、図面のＹ方向が長く形成される場合において、放電が均一に起こりうる。
【００４２】
本発明に係る放電セルを２つ以上の放電空間に分割することは、本実施形態で例示した方法に限定されず、多様な方法が適用され得る。
【００４３】
背面基板１１０及び前面基板１２０は、所定間隔で平行に離隔されて、それらの間に前方隔壁１２８によって区画される複数の赤色、緑色、青色放電セル１３０Ｒ，１３０Ｇ，１３０Ｂを限定する。本実施形態では、放電セル１３０Ｒ，１３０Ｇ，１３０Ｂで生成された可視光が、前面基板１２０を介して外部に出射されるため、透明な前面基板１２０は、ガラスのように光透過性の良好な材料から製造される。背面基板１１０も、ガラスを利用して製造されることが一般的である。しかし、本発明は、これに限定されず、背面基板１１０を介して外部に画像を具現するか、または両面に画像を具現することも可能である。
【００４４】
前方隔壁１２８は、実質的に四角形の横断面を有する複数の放電セル１３０Ｒ，１３０Ｇ，１３０Ｂを区画するマトリックス状である。特に、本実施形態で、前方隔壁のコーナー部分は、ラウンド処理されているが、これは、放電がコーナー部分に集中して前方隔壁が破損されることを防止し、放電を全体的に均一に発生させるためである。しかし、前方隔壁の形態はこれに限定されるものではなく、複数の放電空間を形成できる限り、多様なパターンの前方隔壁、例えば、ワッフル状、デルタ状のような隔壁で形成され得る。また、放電空間の横断面を、四角形以外にも、三角形、五角形などの多角形、または円形、楕円形などに形成できる。
【００４５】
前面基板１２０及び前方隔壁１２８は一体に形成され得るが、ここで一体とは、同一工程で形成されるということを意味せず、前面基板１２０及び前方隔壁１２８が破損されずに分離され難いという意味である。
【００４６】
前方放電電極１１３及び後方放電電極１１４は、前方（ｚ方向）への可視光の透過率を低下させないため、アルミニウム、銅のような導電性の金属で形成され得る。したがって、長手方向への電圧降下が少ないため、安定した信号伝達が可能となる。
【００４７】
前方隔壁１２８は、隣接した前方放電電極１１３と後方放電電極１１４との間に直接的に通電されるものと、正イオンまたは電子が前方放電電極１１３及び後方放電電極１１４に直接衝突して、前方放電電極１１３及び後方放電電極１１４を損傷させることを防止しつつも、電荷を誘導して壁電荷を蓄積できる誘電体で形成されることが望ましい。
【００４８】
背面基板１１０の前面には、放電セル１３０Ｒ，１３０Ｇ，１３０Ｂを横切って延び、互いに所定の間隔で平行に離隔するアドレス電極１１８が配置されている。アドレス電極１１８は、前方放電電極１１３及び後方放電電極１１４が延びる方向と交差する方向（ｙ方向）に延びる。アドレス電極１１８は、前方放電電極１１３と後方放電電極１１４との間の維持放電をさらに容易にするためのアドレス放電を起こすためのものであって、具体的には、表示しようとする放電セルで維持放電が開始される電圧を下げる役割を担う。
【００４９】
アドレス放電は、走査電極とアドレス電極との間に発生する放電であって、アドレス放電が終了すれば、走査電極側に正イオンが蓄積され、共通電極側に電子が蓄積され、これにより、走査電極と共通電極との間の維持放電がさらに容易となる。走査電極とアドレス電極との間隔が狭い場合、アドレス放電が効率的に起こるため、本実施形態では、アドレス電極２０３と近い後方放電電極１１４が走査電極として作用し、前方放電電極１１３が共通電極として作用することが望ましい。
【００５０】
しかし、本発明は、これに限定されるものではなく、前方隔壁１２８内にアドレス電極が配置され得る。このとき、各電極は、一方向（前面基板１２０から垂直方向）に前方放電電極１１３、アドレス電極１１８、後方放電電極１１４の順に配置され、アドレス電極１１８は一方向（ｙ方向）に配置された放電セル１３０Ｒ，１３０Ｇ，１３０Ｂを取り囲みつつ延びる。また、前記の場合、アドレス電極１１８とさらに近く配置される電極（前方放電電極１１３または後方放電電極１１４）が、走査電極として機能することが望ましい。
【００５１】
アドレス電極１１８は、誘電体層１１２によって埋め込まれることが望ましい。このような誘電体層１１２は、放電時に正イオンまたは電子がアドレス電極１１８と衝突してアドレス電極１１８を損傷させることを防止しつつも、電荷を誘導できる誘電体として形成され、このような誘電体としては、ＰｂＯ、Ｂ２Ｏ３、ＳｉＯ２などがある。
【００５２】
誘電体層１１２と前方隔壁１２８との間には、前方隔壁１２８と共に放電セル１３０Ｒ，１３０Ｇ，１３０Ｂを区画する後方隔壁１２４が配置されている。本実施形態で後方隔壁１２４は、前方隔壁１２８と同じ形状に形成されているが、相異なる形状に形成されても良い。
【００５３】
本実施形態では、後方隔壁の側面１２４ａ及び誘電体層の前面１１２ａにも、赤色、緑色、青色発光蛍光体層１１６Ｒ，１１６Ｇ，１１６Ｂのうち何れか一つが所定厚さに塗布される。すなわち、赤色放電セル１３０Ｒを限定する後方隔壁１２４の側面及び誘電体層１１２上には、赤色発光蛍光体層１１６Ｒが塗布され、緑色放電セル１３０Ｇを限定する後方隔壁１２４の側面及び誘電体層１１２上には、緑色発光蛍光体層１１６Ｇが塗布され、青色放電セル１３０Ｂを限定する後方隔壁１２４の側面及び誘電体層１１２上には、青色発光蛍光体層１１６Ｂが塗布される。このように、後方隔壁の側面１２４ａ及び誘電体層の前面１１２ａに塗布された赤色、緑色、青色発光蛍光体層１１６Ｒ，１１６Ｇ，１１６Ｂによって、蛍光体層の塗布面積が拡大する効果を有する。
【００５４】
このような蛍光体層１１６Ｒ，１１６Ｇ，１１６Ｂは、紫外線を受けて可視光線を発生させる成分を有するが、赤色放電セル１３０Ｒに形成された赤色発光蛍光体層１１６Ｒは、Ｙ（Ｖ，Ｐ）Ｏ４：Ｅｕのような蛍光体を含み、緑色放電セル１３０Ｇに形成された緑色発光蛍光体層１１６Ｇは、Ｚｎ２ＳｉＯ４：Ｍｎのような蛍光体を含み、青色放電セル１３０Ｂに形成された青色発光蛍光体層１１６Ｂは、ＢＡＭ：Ｅｕのような蛍光体を含む。
【００５５】
前方隔壁１２８の側面には保護層１１５が形成されている。保護層１１５は、プラズマ粒子のスパッタリングによって誘電体で形成された前方隔壁１２８が損傷されることを防止し、プラズマ放電時に二次電子を放出して放電電圧を下げ、放電量を増加させる役割を担う。保護層１１５は、酸化マグネシウム（ＭｇＯ）を所定の厚さに塗布することによって形成され得る。保護層１１５は、主にスパッタリング、電子ビーム蒸着法で薄膜が形成される。
【００５６】
放電セル１３０Ｒ，１３０Ｇ，１３０Ｂには、Ｎｅ、Ｘｅ等及びそれらの混合気体のような放電ガスが封入される。本実施形態を含んだ本発明の場合、放電面が増加し、かつ放電領域が拡大して、形成されるプラズマの量が増加するので、低電圧駆動が可能となる。したがって、本発明の場合、高濃度のＸｅガスを放電ガスとして使用しても低電圧駆動が可能になることによって、発光効率を画期的に向上させ得る。このような点は、従来のＰＤＰで高濃度のＸｅガスを放電ガスとして使用する場合、低電圧駆動が非常に難しくなるという問題点を解決したものである。
【００５７】
前記のような構造を有する本発明に係るＰＤＰ１００では、蛍光体層１１６Ｒ，１１６Ｇ，１１６Ｂから発散される可視光が、前面基板１２０を透過して前方に出射される。ところが、前方隔壁１２８内に配置された前方放電電極１１３及び後方放電電極１１４は、透明性を必要としないので、一般的な導電性の金属材料からなり得る。このように、前方放電電極１１３及び後方放電電極１１４を、Ａｇ、Ａｌ、またはＣｕなどの導電性に優れ、かつ抵抗の低い金属材料で形成できるので、放電による応答速度が速く、信号が歪曲されず、かつ維持放電に必要な消費電力を減らし得るなど、多くの長所がある。
【００５８】
図４には、図２に示す実施形態と同様に、分離横前方隔壁１２９の内部に図面上の左右のそれぞれの放電空間のための一対ずつの前方放電電極１１３及び後方放電電極１１４が形成されたものを示されている。特に、分離横前方隔壁１２９の幅は、放電セルの内部の放電空間を広く確保できるように、可能な限り狭く形成されることが望ましい。
【００５９】
図５及び図６には、図４に示すＰＤＰの実施形態についての変形例が示されている。図５には、横前方隔壁１２８ａの間に分離横前方隔壁１３９が２つ形成され、それぞれの分離横前方隔壁１３９には、一つずつの前方放電電極１１３及び後方放電電極１１４が形成される。これにより、一つの放電セルの内部に三つの放電空間が確保され得る。
【００６０】
図６には、横前方隔壁１２８ａの間に分離横前方隔壁１４９が１つ形成され、分離横前方隔壁１４９には、一つずつの前方放電電極１１３及び後方放電電極１１４が形成される。一つの放電セルの内部に二つの放電空間が確保され、横前方隔壁１４９の内部に形成された前方放電電極１１３及び後方放電電極１１４が両側の放電空間に共通的に使用される。
【００６１】
図７は、本発明に係る望ましい他の実施形態として、新構造のＰＤＰの分離斜視図である。図８は、図７のＰＤＰの断面ＶＩＩＩ−ＶＩＩＩを概略的に示す断面図である。
【００６２】
図７に示すように、本実施形態に係るＰＤＰ２００は、以下で説明される事項を除いては図２ないし図６に図示及び説明される事項と同じであり、同じ構成要素については類似した参照番号を使用して、その詳細な説明を省略する。
【００６３】
ＰＤＰ２００は、図示されているように、前方隔壁と後方隔壁とが分離されず、一体の隔壁２２８で形成され、隔壁の放電セルの内部面の下端部に蛍光体層２１６が形成される。本実施形態では、背面基板２１０上にアドレス電極２１８が配置され、その上の背面基板２１０上に誘電体層２１２が形成され、その上に隔壁２２８が配置され、隔壁の下端部の側面及び誘電体層２１２の上面に蛍光体層２１６が形成されて、放電セル２３０が形成される。隔壁２２８は、前面基板２２０と背面基板２１０との間に配置されて放電セルを区画するものであって、一方向に形成される横隔壁、及び前記横隔壁に対して交差する方向に形成される縦隔壁を備える。また、前面基板２２０と背面基板２１０との間に前面基板２２０から背面基板２１０の方向に互いに離隔されて配置されて放電を起こすものであって、横隔壁の内部に沿って延びて平行に形成される前方放電電極及び後方放電電極を備える維持電極対が形成される。  他の実施形態として、誘電体層２１２上に蛍光体層２１６が形成され、その上に隔壁２２８が形成されて、放電セル２３０が形成され得る。
【００６４】
図８に示す実施形態では、図７に示す実施形態と同様に、分離横隔壁２２９の内部に図面上の左右それぞれの放電空間のための一対ずつの前方放電電極２１３及び後方放電電極２１４が形成されたものを示している。
【００６５】
図９及び図１０には、図８に示すＰＤＰの実施形態についての変形例が示されている。図９には、横前方隔壁２２８ａの間に分離横隔壁２３９が二つ形成され、それぞれの分離横隔壁２３９の内部には、一つずつの前方放電電極２１３及び後方放電電極２１４が形成される。これにより、一つの放電セルの内部に三つの放電空間が確保され得る。
【００６６】
図１０には、横隔壁２２８ａの間に分離横隔壁２４９が１つ形成され、分離横隔壁２４９の内部には、一つずつの前方放電電極２１３及び後方放電電極２１４が形成される。一つの放電セルの内部に二つの放電空間が確保され、横隔壁２４９の内部に形成された前方放電電極２１３及び後方放電電極２１４が、両側の放電空間に共通的に使用される。
【００６７】
本発明は、添付された図面に示された一実施形態を参考に説明されたが、これは、例示的なものに過ぎず、当業者ならば、これから多様な変形及び均等な他の実施形態が可能であるという点を理解できるであろう。したがって、本発明の真の保護範囲は、特許請求の範囲によって決まらねばならない。
【産業上の利用可能性】
【００６８】
本発明は、ＰＤＰに関連した技術分野に好適に適用され得る。
【図面の簡単な説明】
【００６９】
【図１】通常の３電極面放電型ＰＤＰの分離斜視図である。
【図２】本発明に係る望ましい一実施形態として、新構造のＰＤＰを概略的に示す分離斜視図である。
【図３】図２のＰＤＰの断面ＩＩＩ−ＩＩＩを概略的に示す断面図である。
【図４】図２のＰＤＰの断面ＩＶ−ＩＶを概略的に示す断面図である。
【図５】図４のＰＤＰの他の実施形態として、図４の断面図と同じ部分での断面図を概略的に示す断面図である。
【図６】図４のＰＤＰの他の実施形態として、図４の断面図と同じ部分での断面図を概略的に示す断面図である。
【図７】本発明に係る望ましい他の実施形態として、新構造のＰＤＰの分離斜視図である。
【図８】図７のＰＤＰの断面ＶＩＩＩ−ＶＩＩＩを概略的に示す断面図である。
【図９】図８のＰＤＰの他の実施形態として、図８の断面図と同じ部分での断面図を概略的に示す断面図である。
【図１０】図８のＰＤＰの他の実施形態として、図８の断面図と同じ部分での断面図を概略的に示す断面図である。
【符号の説明】
【００７０】
１００、２００    ＰＤＰ、
１１０、２１０    背面基板、
１１２、２１２    誘電体層、
１１３、２１３    前方放電電極、
１１４、２１４    後方放電電極、
１１６Ｒ、１１６Ｇ、１１６Ｂ    赤色、緑色、青色の発光蛍光体層、
１１８、２１８    アドレス電極、
１２０、２２０    前面基板、
１２４    後方隔壁、
１２８    前方隔壁、
２２８    隔壁、
１３０Ｒ、１３０Ｇ、１３０Ｂ    赤色、緑色、青色の放電セル、
２１６Ｒ、２１６Ｇ、２１６Ｂ    赤色、緑色、青色の発光蛍光体層。
【図１】
2006324234.tif 000003
【図２】
2006324234.tif 000004
【図３】
2006324234.tif 000005
【図４】
2006324234.tif 000006
【図５】
2006324234.tif 000007
【図６】
2006324234.tif 000008
【図７】
2006324234.tif 000009
【図８】
2006324234.tif 000010
【図９】
2006324234.tif 000011
【図１０】
2006324234.tif 000012